(57)【要約】      （修正有）【課題】シャッターカーテンで開口部を閉鎖時にも室内への採光や導風ができ、かつ、シャッターカーテンで開口部の一部閉鎖時にも各スラットをスラット閉位置にできるシャッター装置、およびシャッター装置を備える建物の提供。【解決手段】スラット１０の少なくとも一つである開閉スラット１１を、シャッターカーテン１が開口部の少なくとも一部閉鎖状態で回動可能とし、開閉スラット１１の回動により、シャッターカーテン１が開口部の内外を部分的に閉鎖、開放する。開閉スラット１１の回動で、シャッターカーテン１が開口部の少なくとも一部閉鎖時に、シャッターカーテン１で開口部の内外を部分的に閉鎖、開放できる。また、開閉スラット１１は、シャッターカーテン１が開口部の少なくとも一部閉鎖状態で回動可能であるため、シャッターカーテン１で開口部の一部閉鎖時に、開閉スラット１１と一般スラット１２との少なくとも一方をカーテン閉位置にできる。【選択図】図１１
2007138519.tif 000002
【特許請求の範囲】
【請求項１】
複数のスラットが互いに連結されつつ配列してなるシャッターカーテンを備え、該シャッターカーテンが構造物に形成されている開口部を開閉するシャッター装置であって、
該スラットの少なくとも一つである開閉スラットは、該シャッターカーテンが該開口部の少なくとも一部を閉じた状態で回動可能であり、
該シャッターカーテンは、該開閉スラットの回動によって該開口部の内外を部分的に閉鎖しつつ部分的に開放することを特徴とするシャッター装置。
【請求項２】
前記シャッターカーテンは、前記開閉スラットと、前記シャッターカーテンが前記開口部を開く際に前記開閉スラットに後続して移動する一般スラットと、を備え、
少なくとも一部の該一般スラットは、前記開閉スラットが回動したときに嵌合している請求項１に記載のシャッター装置。
【請求項３】
少なくとも前記開閉スラットを枢支するリンク部材と、前記開口部を閉じるカーテン閉位置と前記開口部を開くカーテン開位置との間で前記シャッターカーテンを移動させる開閉手段と、該開閉手段と別体であり前記シャッターカーテンが前記開口部の少なくとも一部を閉じた状態で前記開閉スラットを回動させる回動手段と、を備え、
前記シャッターカーテンが該カーテン閉位置に配されると隣接する前記スラット同士が嵌合し、
該回動手段は、該開閉手段が前記シャッターカーテンを該カーテン閉位置から所定長さ移動させて前記開閉スラットの該嵌合が外れかつ前記一般スラットの該嵌合が維持される嵌合解除位置に配した際に、前記開閉スラットを回動させる請求項１に記載のシャッター装置。
【請求項４】
前記開閉スラットが回動したときに前記一般スラットの前記嵌合を維持するロック手段を備える請求項２に記載のシャッター装置。
【請求項５】
前記ロック手段は、前記開閉スラットに最も近い前記一般スラットを、前記開閉スラットに最も遠い前記一般スラットに対して相対的に固定する請求項４に記載のシャッター装置。
【請求項６】
前記開閉手段は前記シャッターカーテンを巻き上げて前記開口部を開き前記シャッターカーテンを繰り出して前記開口部を閉じる巻き上げ装置からなり、
前記回動手段は、前記開閉手段と前記ロック手段との間に配されている請求項４に記載のシャッター装置。
【請求項７】
前記シャッターカーテンが前記嵌合解除位置に配されたときに、前記回動手段が変位して前記開閉スラットを回動させる請求項３に記載のシャッター装置。
【請求項８】
少なくとも前記シャッターカーテンが前記嵌合解除位置に配されているときに前記回動手段の前記変位を駆動する駆動手段を備える請求項７に記載のシャッター装置。
【請求項９】
前記駆動手段は、前記回動手段の前記変位を自動的に駆動する電動モータを備える請求項８に記載のシャッター装置。
【請求項１０】
前記駆動手段は前記電動モータと前記電動モータに駆動されて回転するピニオン部とを備え、前記回動手段は該ピニオン部と噛合するラックを備える請求項９に記載のシャッター装置。
【請求項１１】
前記開閉スラットはスラット側係止部を持ち、
前記回動手段は該スラット側係止部と係止する駆動側係止部を持ち、
前記回動手段は、該駆動側係止部が前記スラット側係止部と係止した状態で変位して前記開閉スラットを回動させる請求項７に記載のシャッター装置。
【請求項１２】
前記回動手段は、前記開閉スラットに対して離接可能に形成され、前記シャッターカーテンが前記嵌合解除位置に配されているときに前記開閉スラットに接触して前記駆動側係止部が前記スラット側係止部と係止するとともに、さらに変位して前記開閉スラットを回動させる請求項１１に記載のシャッター装置。
【請求項１３】
前記スラット側係止部は突起状をなすとともに前記駆動側係止部は直線状に延び端部が開口する溝状をなし、前記スラット側係止部と前記駆動側係止部とはスライド可能に係止し、
前記回動手段は、前記開閉スラットが前記嵌合解除位置に配されているときに前記駆動側係止部が延びる方向に変位して前記スラット側係止部を前記駆動側係止部内に収容するとともに、前記駆動側係止部が延びる方向と交差する方向に変位して前記開閉スラットを回動させる請求項１２に記載のシャッター装置。
【請求項１４】
前記回動手段は、溝状をなし、前記開口部に対して固定されているガイドピンにスライド可能に係止するガイド部を持ち、
該ガイド部は、前記駆動側係止部が延びる方向と同方向に延びる収容ガイド部と、該収容ガイド部に連絡し前記開閉スラットに向けて膨出する弧状の回動ガイド部とを備える請求項１３に記載のシャッター装置。
【請求項１５】
請求項１乃至１４の何れかに記載のシャッター装置を備えることを特徴とするシャッター装置を備える建物。
【発明の詳細な説明】
【技術分野】
【０００１】
本発明は、構造物に形成されている開口部を開閉するシャッター装置、および、シャッター装置を備える建物に関する。
【背景技術】
【０００２】
一般的なシャッター装置は、互いに連結されている複数のスラットが上下方向に配列してなるシャッターカーテンを持つ。一般的なシャッター装置では、シャッターカーテンは下動して構造物の開口部を閉じ、上動して開口部を開く。近年では、シャッターカーテンで開口部を閉じているときにも、室内への採光や導風ができるシャッター装置が要求されている。一般には、シャッターカーテンで開口部を閉じているときにスラットを回動させて、隣接するスラット同士の間に間隙を形成し、この間隙を通じて室内への採光や導風をおこなっている。すなわち、スラットが回動可能になるようにシャッターカーテンを形成し、各スラットを、隣接するスラット同士の間に間隙が形成されるスラット開位置と、隣接するスラット同士が当接して間隙が閉じるスラット閉位置と、の間で回動させる。スラットをスラット開位置に配すると、シャッターカーテンで開口部を閉じているときでも、隣接するスラット同士の間隙を光や風が流通可能になる。よって室内への採光や導風が可能になる（例えば、特許文献１参照）。
【０００３】
ところで、特許文献１に紹介されているシャッター装置では、シャッターカーテンを上動させ開口部を開いているときには、各スラットはスラット開位置に配されている。シャッターカーテンが下動して開口部を閉じた直後には、各スラットはスラット開位置に配されたままである。シャッターカーテンで開口部を閉じ、さらに、シャッターカーテンを繰り出すと、各スラットは、下側のものから順次回動してスラット閉位置に配される。したがって、シャッターカーテンにて開口部の一部を閉じた状態において、各スラットは常にスラット開位置に配される。このため、シャッターカーテンにて開口部の一部を閉じているときに、スラットをスラット閉位置に配することができなかった。よって、特許文献１に紹介されているシャッター装置では、例えば、シャッターカーテンにて開口部の上部のみを閉じかつ各スラットをスラット閉位置に配して、開口部の上部から室内に入射する光のみを遮断することはできなかった。
【特許文献１】特開２００１−２７１５７４号公報
【発明の開示】
【発明が解決しようとする課題】
【０００４】
本発明は上記事情に鑑みて成されたものであり、シャッターカーテンで開口部を閉じているときにも室内への採光や導風ができ、かつ、シャッターカーテンで開口部の一部を閉じているときにも各スラットをスラット閉位置に配することができるシャッター装置、およびシャッター装置を備える建物を提供することを目的とする。
【課題を解決するための手段】
【０００５】
上記課題を解決する本発明のシャッター装置は、複数のスラットが互いに連結されつつ配列してなるシャッターカーテンを備え、該シャッターカーテンが構造物に形成されている開口部を開閉するシャッター装置であって、該スラットの少なくとも一つである開閉スラットは、該シャッターカーテンが該開口部の少なくとも一部を閉じた状態で回動可能であり、該シャッターカーテンは、該開閉スラットの回動によって該開口部の内外を部分的に閉鎖しつつ部分的に開放することを特徴とする。
【０００６】
本発明のシャッター装置は下記の構成（１）〜（１３）の何れかを備えるのが好ましい。下記の構成（１）〜（１３）の複数を備えるのが望ましい。
（１）前記シャッターカーテンは、前記開閉スラットと、前記シャッターカーテンが前記開口部を開く際に前記開閉スラットに後続して移動する一般スラットと、を備え、少なくとも一部の該一般スラットは、前記開閉スラットが回動したときに嵌合している。
（２）少なくとも前記開閉スラットを枢支するリンク部材と、前記開口部を閉じるカーテン閉位置と前記開口部を開くカーテン開位置との間で前記シャッターカーテンを移動させる開閉手段と、該開閉手段と別体であり前記シャッターカーテンが前記開口部の少なくとも一部を閉じた状態で前記開閉スラットを回動させる回動手段と、を備え、前記シャッターカーテンが該カーテン閉位置に配されると隣接する前記スラット同士が嵌合し、該回動手段は、該開閉手段が前記シャッターカーテンを該カーテン閉位置から所定長さ移動させて前記開閉スラットの該嵌合が外れかつ前記一般スラットの該嵌合が維持される嵌合解除位置に配した際に、前記開閉スラットを回動させる請求項１に記載のシャッター装置。
（３）（１）の場合、前記開閉スラットが回動したときに前記一般スラットの前記嵌合を維持するロック手段を備える。
（４）（３）の場合、前記ロック手段は、前記開閉スラットに最も近い前記一般スラットを、前記開閉スラットに最も遠い前記一般スラットに対して相対的に固定する。
（５）（３）の場合、前記開閉手段は前記シャッターカーテンを巻き上げて前記開口部を開き前記シャッターカーテンを繰り出して前記開口部を閉じる巻き上げ装置からなり、前記回動手段は、前記開閉手段と前記ロック手段との間に配されている。
（６）（２）の場合、前記シャッターカーテンが前記嵌合解除位置に配されたときに、前記回動手段が変位して前記開閉スラットを回動させる。
（７）（６）の場合、少なくとも前記シャッターカーテンが前記嵌合解除位置に配されているときに前記回動手段の前記変位を駆動する駆動手段を備える。
（８）（７）の場合、前記駆動手段は、前記回動手段の前記変位を自動的に駆動する電動モータを備える。
（９）（８）の場合、前記駆動手段は前記電動モータと前記電動モータに駆動されて回転するピニオン部とを備え、前記回動手段は該ピニオン部と噛合するラックを備える。
（１０）（６）の場合、前記開閉スラットはスラット側係止部を持ち、前記回動手段は該スラット側係止部と係止する駆動側係止部を持ち、前記回動手段は、該駆動側係止部が前記スラット側係止部と係止した状態で変位して前記開閉スラットを回動させる。
（１１）（１０）の場合、前記回動手段は、前記開閉スラットに対して離接可能に形成され、前記シャッターカーテンが前記嵌合解除位置に配されているときに前記開閉スラットに接触して前記駆動側係止部が前記スラット側係止部と係止するとともに、さらに変位して前記開閉スラットを回動させる。
（１２）（１１）の場合、前記スラット側係止部は突起状をなすとともに前記駆動側係止部は直線状に延び端部が開口する溝状をなし、前記スラット側係止部と前記駆動側係止部とはスライド可能に係止し、前記回動手段は、前記開閉スラットが前記嵌合解除位置に配されているときに前記駆動側係止部が延びる方向に変位して前記スラット側係止部を前記駆動側係止部内に収容するとともに、前記駆動側係止部が延びる方向と交差する方向に変位して前記開閉スラットを回動させる。
（１３）（１２）の場合、前記回動手段は、溝状をなし、前記開口部に対して固定されているガイドピンにスライド可能に係止するガイド部を持ち、該ガイド部は、前記駆動側係止部が延びる方向と同方向に延びる収容ガイド部と、該収容ガイド部に連絡し前記開閉スラットに向けて膨出する弧状の回動ガイド部とを備える。
【０００７】
上記課題を解決する本発明のシャッター装置を備える建物は、上述した何れかのシャッター装置を備えることを特徴とする。
【発明の効果】
【０００８】
本発明のシャッター装置における開閉スラットは、シャッターカーテンが開口部の少なくとも一部を閉じた状態で回動可能である。したがって、本発明のシャッター装置によると、シャッターカーテンで開口部を閉じているときにも開閉スラットをスラット開位置やスラット閉位置に配することができる。よって、シャッターカーテンで開口部を閉じているときに開閉スラットをスラット開位置に配すると、シャッターカーテンで開口部を閉じているときにも室内への採光や導風ができる。また、本発明のシャッター装置では、シャッターカーテンで開口部の一部を閉じているときにも開閉スラットをスラット開位置やスラット閉位置に配することができる。したがって、シャッターカーテンで開口部の一部を閉じているときに開閉スラットをスラット閉位置に配すると、シャッターカーテンで開口部の一部を閉じているときにも開閉スラットによって室内への光の入射を遮ることができる。なお、本発明のシャッター装置において、開閉スラットは回動していない状態でスラット閉位置に配されても良いし、スラット開位置に配されても良い。一般スラットも同様に、回動していない状態でスラット閉位置に配されても良いし、スラット開位置に配されても良い。開閉スラットや一般スラットが、回動していない状態でスラット閉位置に配される場合には、開閉スラットを回動させなくても、シャッターカーテンで開口部を部分的に閉じているときに、開閉スラットや一般スラットで、室内への光の入射を遮ることができる。以下、シャッターカーテンで開口部全体を閉じ（開口部全体を覆い）かつ開口部の内外を部分的に閉鎖しつつ部分的に開放している（開閉スラットが回動している）シャッター装置の状態を、シャッター装置の第１の半開状態と呼ぶ。シャッターカーテンで開口部を部分的に閉じ（開口部を部分的に覆い）かつ開口部の内外を部分的に閉鎖しつつ部分的に開放している（開閉スラットが回動している）シャッター装置の状態を、シャッター装置の第２の半開状態と呼ぶ。
【０００９】
本発明のシャッター装置が上記構成（１）を備える場合には、開閉スラットが回動し開閉スラット同士の間隙（以下、採光経路と呼ぶ）を介して室内へ採光や導風をおこなっている場合におけるスラットのばたつきを低減できる。すなわち、各スラットが回動可能な状態にあるときに、シャッター装置が強風などを受けると、各スラットがばたついて騒音が生じる可能性がある。上記構成（１）を備える本発明のシャッター装置では、開閉スラットが回動したときに少なくとも一部の一般スラットが嵌合しているため、一般スラットのばたつきが軽減され、騒音が軽減される。また、一般スラットが嵌合しているために、スラットをこじ開け難くなり、外部からの侵入を確実に防止できる。よって上記構成（１）を備える本発明のシャッター装置は、防犯性にも優れる。
【００１０】
本発明のシャッター装置が上記構成（２）を備える場合には、シャッターカーテンがカーテン閉位置に配されると隣接するスラット同士が嵌合する。したがって、シャッターカーテンが開口部を閉じ、かつ、開口部全体の内外を閉鎖する（開閉スラットを回動させない）場合におけるスラットのばたつきを防止できる。また、嵌合解除位置において、シャッターカーテンは、カーテン閉位置とカーテン開位置との間の位置に配される。詳しくは、開閉手段による外力を受けてシャッターカーテンがカーテン閉位置からカーテン開位置に向けて移動する際には、開閉スラットが先ずカーテン開位置方向に移動する。すると、隣接する開閉スラット同士の距離（または開閉スラットと開閉スラットに後続する一般スラットとの距離）が大きくなり、開閉スラット同士の嵌合（または開閉スラットと一般スラットとの嵌合）が外れる。嵌合解除位置に配されたシャッターカーテンでは、隣接する開閉スラット同士の嵌合および開閉スラットとそれに後続する一般スラットとの嵌合が外れ、一般スラット同士の嵌合は維持される。開閉スラットはリンク部材に枢支されているため、嵌合が外れるとリンク部材に対して回動可能になる。このため、開閉スラットは回動手段に駆動されると回動する。したがって、上記構成（２）を備える本発明のシャッター装置では、シャッターカーテンで開口部を閉じているときにおける室内への採光や導風が、容易になされる。さらにこのとき、一般スラットの嵌合は維持されているため、一般スラットのばたつきもない。また、回動手段は開閉手段と別体であるため、回動手段と開閉手段とは別々に動作する。したがって、一般スラットの嵌合を維持しつつ開閉スラットの嵌合のみを外す機構を簡単な構造にできる。
【００１１】
なお、シャッターカーテンを嵌合解除位置からさらにカーテン開位置に向けて移動させるときに、一般スラットの嵌合が外れるようにすれば、開閉スラットと一般スラットとをともに回動させることができる。すなわち、シャッターカーテンをカーテン閉位置からカーテン開位置に移動させると、先ず、開閉手段からの外力を受けて開閉スラットの嵌合が外れ、次いで、一般スラットの嵌合が外れる。開閉スラットの嵌合と一般スラットの嵌合とがともに外れた状態で、開閉スラットおよび一般スラットを回動させると、シャッターカーテンが開口部全体を閉じた状態で、開口部全体の内外を開放できる。
【００１２】
本発明のシャッター装置が上記構成（３）を備える場合には、開閉スラットの嵌合が外れ開閉スラットが回動したときの一般スラットの嵌合を、確実に維持できる。したがって、上述した一般スラットのばたつきをより確実に防止できる。また、一般スラットの嵌合をより確実に維持できるため、上記構成（３）を備える本発明のシャッター装置はより優れた防犯性を発揮する。さらに、本発明のシャッター装置にロック手段を設けることで、シャッターカーテンによって開口部を横方向に開閉する場合にも、一般スラットのばたつきを確実に防止できる。すなわち、シャッターカーテンによって開口部を縦方向に開閉する場合には、一般スラット同士の嵌合部分には上側に位置する一般スラットの重量が作用する。したがって、一般スラットの嵌合は一般スラットの重量によって補強される。これに対して、シャッターカーテンによって開口部を横方向に開閉する場合には、一般スラット同士の嵌合部分には、一般スラットの重量が作用しない。しかし、一般スラットの嵌合を維持するロック手段をシャッター装置に設ける場合には、シャッターカーテンが開口部を横方向に開閉するシャッター装置であっても、一般スラットの嵌合を確実に維持できる。また、本発明のシャッター装置にロック手段を設けることで、シャッター装置を第２の半開状態にした場合にも、一般スラット同士の嵌合を維持でき、上述した一般スラットのばたつきを防止できる。
【００１３】
本発明のシャッター装置が上記構成（４）を備える場合には、シャッター装置を第２の半開状態にした場合に一般スラット同士の嵌合を維持できるロック手段を簡単な構造にできる。すなわち、ロック手段によって、開閉スラットに最も近い一般スラットを、開閉スラットに最も遠い一般スラットに対して相対的に固定すれば、一般スラットの嵌合を維持しつつシャッターカーテンをカーテン閉位置とカーテン開位置との間の位置に配することができる。
【００１４】
本発明のシャッター装置が上記構成（５）を備える場合には、ロック手段によって回動手段の動作を干渉しないシャッター装置を簡単な構造にできる。
【００１５】
本発明のシャッター装置が上記構成（６）を備える場合には、開閉スラットを回動させたときに一般スラットの嵌合を維持できるシャッター装置を簡単な構造にできる。すなわち、上記構成（２）を備える本発明のシャッター装置では、シャッターカーテンがカーテン閉位置に配されると隣接するスラット同士が嵌合する。シャッターカーテンが嵌合解除位置に配されると、開閉スラットの嵌合は外れるが、一般スラットの嵌合は維持される。このとき、回動手段は自身が変位して開閉スラットを回動させるため、開閉スラットを回動させる際にシャッターカーテン全体を移動させる必要はない。したがって、一般スラットの嵌合は維持される。したがって、上記構成（６）を備える本発明のシャッター装置によると、開閉スラットが回動したときにも一般スラットの嵌合を確実に維持でき、一般スラットのばたつきを確実に軽減できる。
【００１６】
回動手段の変位は手動で駆動しても良いが、本発明のシャッター装置が上記構成（７）を備える場合には、回動手段を変位させる際の操作性が向上する。
【００１７】
本発明のシャッター装置が上記構成（８）を備える場合には、回動手段の変位を自動的に駆動できるため、回動手段を変位させる際の操作性がさらに向上する。
【００１８】
本発明のシャッター装置が上記構成（９）を備える場合には、電動モータを用いて回動手段を変位させる機構を簡単かつ堅牢な構造にできる。よって、動作の信頼性に優れるシャッター装置を安価に提供できる。
【００１９】
本発明のシャッター装置が上記構成（１０）を備える場合には、回動手段で開閉スラットを回動させる機構を簡単かつ堅牢な構造にできる。よって、動作の信頼性に優れるシャッター装置を安価に提供できる。
【００２０】
本発明のシャッター装置が上記構成（１１）を備える場合には、開閉スラットを回動させるときにのみ回動手段を開閉スラットに接触させるため、回動手段がシャッターカーテンの通常の上下動（開口部の開閉）に干渉しない。よって、シャッターカーテンにより確実に開口部を開閉でき、動作の信頼性に優れるシャッター装置を提供できる。
【００２１】
本発明のシャッター装置が上記構成（１２）を備える場合には、開閉スラットを回動させるときにのみ回動手段を開閉スラットに接触させるシャッター装置を簡単かつ堅牢な構造にできる。よって、動作の信頼性に優れるシャッター装置を安価に提供できる。
【００２２】
本発明のシャッター装置が上記構成（１３）を備える場合には、回動手段が変位する機構を簡単なかつ堅牢な構造にできる。よって、動作の信頼性に優れるシャッター装置を安価に提供できる。
【００２３】
本発明のシャッター装置を備える建物は、上述した本発明のシャッター装置を備えるものである。本発明の建物は、本発明のシャッター装置を備えることにより、シャッターカーテンで開口部を閉じているときにも室内への採光や導風ができ、かつ、シャッターカーテンで開口部の一部を閉じているときにも開閉スラットによって室内への光の入射を遮ることができる。
【発明を実施するための最良の形態】
【００２４】
以下、本発明のシャッター装置の具体例を挙げ、本発明のシャッター装置を図面を基に説明する。
【実施例】
【００２５】
（実施例１）
実施例１のシャッター装置は、建物の出入り口（開口部）に配設され、出入り口を開閉する。実施例１のシャッター装置は、上記構成（１）〜（３）、（５）〜（１３）を備える。実施例１のシャッター装置を室外側から見た様子を模式的に表す正面図を図１に示す。実施例１のシャッター装置におけるシャッターカーテンおよびリンク部材を模式的に表す要部拡大斜視図を図２〜４に示す。実施例１のシャッター装置における開閉手段および回動手段の動作を模式的に表す説明図を図５〜１１に示す。詳しくは、実施例１のシャッター装置における開閉手段、回動手段およびスラットを図１における左側方から見た様子を模式的に表す説明図を図５、７、９、１１に示す。実施例１のシャッター装置における開閉手段、回動手段およびスラットを上方から見た様子を模式的に表す説明図を図６、８、１０に示す。図６および７、図８および９、図１０および１１は、それぞれ、同じ状態にある開閉手段、回動手段およびスラットを異なる角度から見た図である。以下、本実施例１において上、下、左、右、室内側、室外側とは、図２に示す上、下、左、右、室内側、室外側を指す。
【００２６】
実施例１のシャッター装置は、シャッターカーテン１と、リンク部材２と、ガイド枠３と、回動手段４と、駆動手段５と、開閉手段７と、ロック手段８と、を備える。
【００２７】
図１に示すように、シャッターカーテン１は、左右方向に延びる複数のスラット１０が上下方向に配列されてなる。実施例１のシャッター装置では、各スラット１０は同形状である。実施例１のシャッター装置において、シャッターカーテン１の上端側に配されている３つのスラット１０が開閉スラット１１となる。その他のスラット１０が一般スラット１２となる。シャッターカーテン１の上方には、左右に延びる吊り元スラット（図略）が配されている。吊り元スラットは最上端に位置する開閉スラット１１に連結されている。シャッターカーテン１の下方には、左右方向に延びる座板９が配されている。座板９は最下端に位置する一般スラット１２に連結されている。
【００２８】
各スラット１０および座板９の上端部には、図５に示すように、上方に突出する鉤状の上側嵌合部６０が形成されている。また、各スラット１０の下端部には下方に突出する鉤状の下側嵌合部６１が形成されている。上側嵌合部６０および下側嵌合部６１は各スラット１０の長手方向（左右方向）に沿って延在している。図２および５に示すように、シャッターカーテン１がカーテン閉位置に配されると、隣接するスラット１０同士は、上側に位置するスラット１０の下側嵌合部６１と、下側に位置するスラット１０（または座板９）の上側嵌合部６０とが嵌合する。実施例１のシャッター装置においては、シャッターカーテン１がカーテン閉位置に配されるときに各スラット１０はスラット閉位置に配されつつ嵌合する。各スラット１０は脱着可能に嵌合する。したがって、シャッターカーテン１を大きく上動させると、各スラット１０の嵌合は外れる。
【００２９】
各スラット１０には、左端から左方に突出する左軸部６２と、右端から右方に突出する右軸部（図略）とが形成されている。各スラット１０の左軸部６２は、それぞれ、短冊状をなす左側リンク体２０に回動可能に保持されている。
【００３０】
各左側リンク体２０は、互いにスライド可能かつ揺動可能に連結されている。詳しくは、左側リンク体２０は、長手方向の一端部に長孔２１を持ち、左方に突起する連結ピン２２を他端部に持つ。最上端に位置するスラット１０が保持されている左側リンク体２０には、連結ピン２２にかえて貫通孔（図略）が形成されている。貫通孔は吊り元スラットに連結されている。吊り元スラットは後述する巻き取り軸７１に連結されている。下側に配されている左側リンク体２０の連結ピン２２は、上側に配されている左側リンク体２０の長孔２１に挿通されている。座板９には、左端から左方に突出する連結ピン２２（図略）が形成されている。座板９の連結ピン２２は、最下端に位置するスラット１０を保持するリンク体の長孔２１に挿通されている。各スラット１０および座板９は、各左側リンク体２０が連結されてなる第１のリンク部材２に枢支され、連結されている。なお、図示しないが、各スラット１０の右軸部は、それぞれ、各左側リンク体２０と同形状の右側リンク体に回動可能に保持されている。各右側リンク体は、各左側リンク体２０と同様に連結されている。したがって、実施例１のシャッター装置において、各スラット１０および座板９は、各右側リンク体が連結されてなる第２のリンク部材にも枢支され、連結されている。各スラット１０の左側上端部には左方に突出するスラット側係止部６３が形成されている。
【００３１】
開閉手段７は、シャッターカーテン１の上部に配置されている略箱状の格納ボックス７０と、格納ボックス７０の内部に配設されている柱状の巻き取り軸７１と、巻き取り軸７１の内部に配設されている第１の電動モータ７２と、を備える。第１の電動モータ７２は図略の電源から給電を受けて、巻き取り軸７１を回転駆動する。巻き取り軸７１には、最上端に位置する左側リンク体２０および右側リンク体が取り付けられている。巻き取り軸７１が正方向に回転するとシャッターカーテン１が巻き取られ、シャッターカーテン１が上動する。巻き取り軸７１が逆方向に回転すると巻き取られていたシャッターカーテン１が繰り出され、シャッターカーテン１が下動する。第１の電動モータ７２には、図略のコントローラが接続されている。図示しないが、コントローラには、第１の電動モータ７２を駆動してシャッターカーテン１を巻き取るための開操作ボタン、第１の電動モータ７２を駆動してシャッターカーテン１を繰り出すための閉操作ボタン、第１の電動モータ７２を停止してシャッターカーテン１の巻き取り動作や繰り出し動作を停止するための停止操作ボタン、および、シャッター装置を半開状態するための半開操作ボタンなどが設けられている。
【００３２】
図１に示すように、ガイド枠３は、上下に延びる一対の側ガイドレール３０が、左右に延びる１つの下ガイド３１で連結されてなる。各側ガイドレール３０は開口部の左右端部に１つずつ固着され上下に延びる。各側ガイドレール３０は、図６に示すように、他方の側ガイドレール３０に向けて開口するガイド溝３２を持つ。側ガイドレール３０は、各スラット１０の左右端部、第１のリンク部材２および第２のリンク部材を上下にスライド可能に保持する。
【００３３】
図６に示すように、左側の側ガイドレール３０には、第１のケース体５０が固定されている。図７に示すように、第１のケース体５０の上下方向の配置位置は、シャッターカーテン１が嵌合解除位置に配されているときの開閉スラット１１の上下方向の配置位置と同程度の位置である。第１のケース体５０の一端部は側ガイドレール３０に固定され、他端部には右方に突出するガイドピン５１が形成されている。ガイドピン５１は側ガイドレール３０を介して開口部に固定されている。
【００３４】
図５に示すように、回動手段４は長尺板状をなし、長手方向を上下に向けるとともに、室内側から室外側に向けて延びる。回動手段４は、シャッターカーテン１に隣接した室内側に配され、後述する駆動手段５に駆動されて室内側から室外側に向けて出入する。回動手段４の上下方向の配置位置は、シャッターカーテン１が嵌合解除位置に配されているときの開閉スラット１１と同程度の位置である。
【００３５】
回動手段４には、２つのガイド部４０と、１つのラック４１と、３つの駆動側係止部４２が形成されている。２つのガイド部４０は同形の貫通溝状をなし、回動手段４の長手方向に沿った２箇所に互いに離間して配されている。各ガイド部４０は、室外側から室内側に向けて斜め下方に延びる収容ガイド部４５と、収容ガイド部４５の上方に形成され室内側に向けて膨出する弧状の回動ガイド部４６とを備え、収容ガイド部４５と回動ガイド部４６とは上下に延びる連絡部４７で連絡されている。ガイド部４０にはガイドピン５１が挿通されガイド部４０とガイドピン５１とは係止している。また、ガイド部４０は、ガイドピン５１に対してスライド可能である。
【００３６】
駆動側係止部４２は、回動手段４のなかで室外側（シャッターカーテン１側）の端部に形成され、室外側に向けて斜め下方に延び、下端が開口する溝状をなす。駆動側係止部４２は回動手段４の長手方向に沿った３箇所に、互いに離間して配されている。
【００３７】
ラック４１は、回動手段４のなかで室内側の端部に形成されている。ラック４１は回動手段４の上端部から下方に向けて形成されている。
【００３８】
回動手段４の下端には、回動手段４と一体にロック手段８が形成されている。ロック手段８は、板状をなし室内側（シャッターカーテン１側）に突出する。
【００３９】
駆動手段５は、上述した第１のケース体５０と、ガイドピン５１と、第２の電動モータ５２と、ピニオン部５３と、第２のケース体５４を備える。駆動手段５は、第２のケース体５４によって左側の側ガイドレール３０に固定されている。ピニオン部５３は、図５に示すように、ピニオンギア５５と、ウォームギアを含む複数のギアからなる連結ギア部５６とを備える。第２の電動モータ５２とピニオンギア５５とは連結ギア部５６で連結されている。第２の電動モータ５２は第１の電動モータ７２と同様に、図略の電源から給電を受け、連結ギア部５６を介してピニオンギア５５を回転駆動する。ピニオンギア５５は回動手段４のラック４１と噛合している。ピニオンギア５５が正方向に回転すると、回動手段４が下動する。ピニオンギア５５が逆方向に回転すると、回動手段４が上動する。第２の電動モータ５２は、図略のコントローラに接続されている。第２の電動モータ５２には、図略のエンコーダが取り付けられている。エンコーダはコントローラに接続され、電動モータの回転量を検知してコントローラに検知信号を伝送する。コントローラは、検知信号を受けると自動的に第２の電動モータ５２への給電を停止して、第２の電動モータ５２の駆動を停止する。
【００４０】
実施例１のシャッター装置は以下のように動作する。
【００４１】
コントローラの開操作ボタンを操作すると、第１の電動モータ７２が駆動されシャッターカーテン１が巻き取られてカーテン開位置に配される。従って、このとき開口部が開かれる。コントローラの閉操作ボタンを操作すると、第１の電動モータ７２が駆動されてシャッターカーテン１が繰り出されてカーテン閉位置に配される。従って、このときに開口部が閉じられる（図１）。
【００４２】
シャッター装置が図２および５に示される状態のとき、すなわち、シャッターカーテン１がカーテン閉位置に配され、各スラット１０がスラット閉位置に配されているときに、コントローラの半開操作ボタンを操作すると、先ず、第１の電動モータ７２が駆動する。第１の電動モータ７２の駆動により、シャッターカーテン１が巻き取られて所定長さ上動する。このとき、シャッターカーテン１の開閉スラット１１は上側に配されているものから順に上動し、上動した開閉スラット１１と下方に隣接する開閉スラット１１との嵌合が外れる（図３、７）。このとき、回動手段４は動作しない（図６）。次いで、コントローラから第２の電動モータ５２に信号が伝送され、第２の電動モータ５２が駆動する。すると、第２の電動モータ５２の回転が連結ギア部５６を介してピニオンギア５５に伝達され、ピニオンギア５５が正方向に回転する。ピニオンギア５５の正方向の回転に従動して、ラック４１がピニオンギア５５と噛合している回動手段４が下動する。ところで、回動手段４のガイド部４０にはガイドピン５１が挿通されている。コントローラの半開操作ボタンがオフ状態にあるときには、ガイドピン５１はガイド部４０の最下端（収容ガイド部４５の最下端）に配されている。収容ガイド部４５は室外側から室内側に向けて斜め下方に延びている。さらに、ガイドピン５１は側ガイドレール３０を介して開口部に固定されており、不動である。したがって、回動手段４は、ピニオンギア５５の正方向の回転を受けると、収容ガイド部４５がガイドピン５１に案内されて、室内側から室外側に向けて斜め下方に移動し、駆動側係止部４２内にスラット側係止部６３を収容する（図８、９）。
【００４３】
回動手段４の駆動側係止部４２内にスラット側係止部６３を収容しているときに、ピニオンギア５５をさらに正回転させると、回動手段４はさらに下動し、ガイドピン５１が連絡部４７を経て回動ガイド部４６に入る。すると、回動手段４は回動ガイド部４６がガイドピン５１に案内されて回動ガイド部４６の形状に沿った弧状を描きつつ下方に変位する。回動手段４の変位に伴って、回動手段４に形成されている駆動側係止部４２もまた変位する。開閉スラット１１は、上端側に形成されているスラット側係止部６３が駆動側係止部４２と係止している。このため開閉スラット１１は、回動手段４の変位に伴って左軸部６２および右軸部を中心に図９中反時計回りに回動し、下端が上向する。よって、開閉スラット１１はスラット開位置に配され、シャッターカーテン１には採光経路９０が形成される（図４、１０、１１）。
【００４４】
このとき、回動手段４の下端に形成されているロック手段８は、図１１に示すように、最上端に位置する一般スラット１２の上面と係止する。したがって、開閉スラット１１が回動しスラット開位置に配されたときに、一般スラット１２の上動はロック手段８によって干渉される。したがって、一般スラット１２の嵌合は維持され、一般スラット１２がばたつくことはない。
【００４５】
シャッター装置が図４、１０および１１にある状態、すなわち、シャッターカーテン１が開口部を閉じ、開閉スラット１１がスラット開位置に回動している状態で、コントローラの半開操作ボタンをオフ操作すると、第２の電動モータ５２が、半開操作ボタンをオン操作しているときとは逆方向に回転する。すると、連結ギア部５６を介して第２の電動モータ５２に連結されているピニオンギア５５が逆方向に回転する。このため、回動手段４は、回動ガイド部４６がガイドピン５１に案内されて変位（上動）する。したがって、開閉スラット１１は図１１中時計回りに回動し、下端が下向する。よって、開閉スラット１１はスラット閉位置に配され、シャッターカーテン１の採光経路９０は閉じられる（図３、８、９）。この状態で第２の電動モータ５２をさらに回転させると、ピニオンギア５５がさらに逆方向に回転し、回動手段４は、収容ガイド部４５がガイドピン５１に案内されて、室外側から室内側に向けて斜め上方に移動し、駆動側係止部４２とスラット側係止部６３との係止が外れる（図３、６、７）。この状態で、第１の電動モータ７２が駆動し、シャッターカーテン１が繰り出されて所定長さ下動して、シャッターカーテン１はカーテン閉位置に配されるとともに開閉スラット１１は再度嵌合する（図２、５）。
【００４６】
なお、実施例１のシャッター装置には、公知の構造からなるスラット回動手段（図略）が配設されている。スラット回動手段は、開閉手段７が所定長さを超えて開閉スラット１１を上動させたとき、すなわち、シャッターカーテン１がカーテン閉位置に配されている状態から、シャッターカーテン１が図７に示す嵌合解除位置よりも上方に配されて開閉スラット１１および一般スラット１２の嵌合が外れているときに、開閉スラット１１および一般スラット１２を回動させる。したがって、実施例１のシャッター装置は、上述した半開状態に加えて、シャッターカーテン１が開口部を閉じかつ開閉スラット１１および一般スラット１２がスラット開位置に配される全開状態をもとり得る。
【００４７】
さらに、シャッターカーテン１を図７に示す嵌合解除位置から大きく上動させると、開閉スラット１１および一般スラット１２の嵌合が外れ、かつ、シャッターカーテン１が開閉手段７に部分的に巻き取られて、シャッターカーテン１が開口部の上部のみを閉じる。このとき、各スラット１０は、図２に示す開閉スラット１１と同様に、嵌合が外れかつスラット閉位置に配された状態となる。したがって、実施例１のシャッター装置では、シャッターカーテン１で開口部を部分的に閉じているときにも開閉スラット１１や一般スラット１２によって室内への光の入射を遮ることができる。
【００４８】
実施例１のシャッター装置では、開閉手段７を開口部の上側に取り付けるとともにシャッターカーテン１を上下に延在させて、シャッターカーテン１で開口部を縦方向に開閉したが、開閉手段７を開口部の左側または右側に取り付けるとともにシャッターカーテン１を左右に延在させて、シャッターカーテン１で開口部を横方向に開閉してもよい。この場合には、回動手段４、駆動手段５およびロック手段８をガイド枠３の上部や下部に取り付ければ、回動手段４および駆動手段５によって開閉スラット１１を回動させつつ、ロック手段８によって一般スラット１２の嵌合を維持できる。したがって、実施例１のシャッター装置と同様に、シャッターカーテン１で開口部の一部または全部を閉じた状態で開閉スラット１１を回動させて、開口部の内外を部分的に閉鎖しつつ部分的に開放できる。
【００４９】
実施例１のシャッター装置では、ロック手段８として、シャッター装置が半開状態をとるときに最上端に位置する一般スラット１２の上面と係止するものを用いたが、このロック手段８に加えて、シャッター装置を半開状態にしたときに座板９の下面と係止する第２のロック手段を設けても良い。この場合には、回動手段４、駆動手段５、ロック手段８および第２のロック手段を、ガイド枠３または開口部に対して上下動し得る構造にすれば、開閉スラット１１をスラット開位置に配し、かつ、一般スラット１２が嵌合した状態で、シャッターカーテン１を上動させて開口部の下部を開くことができる。すなわち、シャッター装置を図１１に示す半開状態にしたままで、開閉手段７によりシャッターカーテン１を上動させる。この上動に同期させて、回動手段４、駆動手段５、ロック手段８および第２のロック手段を上動させる。すると、シャッターカーテン１は開口部の内外を部分的に閉鎖しつつ部分的に開放したまま上動し、開口部の下部が開かれる。さらにこのとき、ロック手段８および第２のロック手段は同期して上動するため、最上端に配される一般スラット１２を座板９に対して相対的に固定する。したがって、最上端に配される一般スラット１２（開閉スラット１１に最も近い一般スラット１２）は、座板９に隣接し最下端に配される一般スラット１２（開閉スラット１１に最も遠い一般スラット１２）に対して相対的に固定される。よって、隣接する一般スラット１２同士は嵌合が外れない所定の距離を保ちつつ上動する。したがってこの場合には、一般スラット１２の嵌合を維持し、かつ、シャッターカーテン１によって開口部の内外を部分的に閉鎖しつつ部分的に開放したままで、シャッターカーテン１を上動させて開口部の下部を開くことができる。
【００５０】
実施例１のシャッター装置では、開閉手段７によってシャッターカーテン１を巻き取って上動させ、繰り出して下動させているが、例えば、シャッターカーテン１を上下にスライド移動させる開閉手段７を用いても良い。
【００５１】
実施例１のシャッター装置では、開閉手段７によってシャッターカーテン１をカーテン閉位置から所定長さ上動させることで、開閉スラット１１を嵌合解除位置に配した。しかし、開閉手段７とは別に、開閉スラット１１のみを図７に示す嵌合解除位置に上動させる手段を設けても良い（便宜的に開閉スラット駆動手段と呼ぶ）。開閉手段７とは別に開閉スラット駆動手段を設ける場合には、例えば、開閉スラット１１の上側と下側とに一般スラット１２を設ける場合にも、各一般スラット１２の嵌合を外すことがない。よって、開閉スラット１１の上側および下側に配されている一般スラット１２のばたつきを軽減できる。
【００５２】
実施例１のシャッター装置では、駆動手段５によって回動手段４の変位を駆動したが、本発明のシャッター装置には駆動手段５を設けなくても良い。この場合、回動手段４を手動にて変位させればよい。この場合にも、実施例１のシャッター装置と同様に一般スラット１２のばたつきを軽減できる。
【００５３】
実施例１のシャッター装置では、駆動手段５に第２の電動モータ５２を設けたが、第２の電動モータ５２にかえてスプリングモータ等を用いても良い。
【００５４】
実施例１のシャッター装置では、駆動手段５によって回動手段４を変位させる機構としてラックアンドピニオン機構を用いたが、回動手段４を変位させて開閉スラット１１を回動させることができる機構であれば、これに限らず種々の機構を選択し得る。
【００５５】
実施例１のシャッター装置では、回動手段４は開閉スラット１１に対して離接可能に形成されているが、回動手段４と開閉スラット１１とが常に接触していても良い。例えば、回動手段４を左側リンク部材２に固定してもよい。この場合には、例えば、開閉スラット１１が嵌合解除位置に配されると駆動手段５が回動手段４に接続され、通常は駆動手段５と回動手段４との接続が解除されるようにすれば、シャッターカーテン１がカーテン閉位置に配されるときに開閉スラット１１をスラット閉位置に配することもできるし、シャッター装置を半開状態にすることもできる。
【００５６】
なお、本発明のシャッター装置における回動手段４は、公知構造からなる従来のシャッター装置に取り付けることができる。すなわち、本発明のシャッター装置における回動手段４を従来のシャッター装置に取り付けると、スラット１０のばたつきを軽減しつつシャッター装置を半開状態にできる。この場合、さらに、本発明のシャッター装置における駆動手段５を取り付ければ、スラット１０のばたつきを軽減しつつシャッター装置を半開状態にでき、かつシャッター装置に優れた操作性を付与できる。
【００５７】
実施例１のシャッター装置では、エンコーダによって第２の電動モータ５２の回転量を検知し、第２の電動モータ５２の駆動を停止する。したがって、第２の電動モータ５２の駆動を所望するタイミングで自動的に停止させ得る。よって、実施例１のシャッター装置は、動作の信頼性と操作性とに優れる。また、回動手段４の故障などによって第２の電動モータ５２が所定量駆動したときに回動手段４が変位しない場合にも、第２の電動モータ５２を過剰に駆動することがないため、第２の電動モータ５２に過大な負荷を加えることはなく、第２の電動モータ５２の故障を未然に防止できる。さらに、回動手段４などの故障を早期に発見できる。実施例１のシャッター装置では、モータの回転量を検知する手段としてエンコーダを用いたがその他の既知構造からなる検知手段を用いても良い。
【００５８】
実施例１のシャッター装置では、シャッターカーテン１がカーテン閉位置に配されているときに、各スラット１０はスラット閉位置に配されつつ嵌合しているが、スラット開位置に配されつつ嵌合しても良い。この場合には、シャッター装置の半開状態において、開閉スラット１１がスラット閉位置に配され、一般スラット１２がスラット開位置に配される。従って、シャッターカーテン１の下部に採光経路９０が形成される。外出時の防犯対策などを考慮すると、シャッターカーテン１がカーテン閉位置に配されているときに、各スラット１０がスラット閉位置に配されつつ嵌合するのが好ましい。
【００５９】
なお、本発明のシャッター装置は、シャッターカーテン１によって開口部を縦方向に開閉するものに限定されない。すなわち、本発明のシャッター装置は、例えば、シャッターカーテン１によって開口部を横方向に開閉しても良い。本発明のシャッター装置は、シャッターカーテン１が開口部の少なくとも一部を閉じた状態で、開閉スラット１１が回動可能である。このため、シャッターカーテン１によって開口部を横方向に開閉する場合にも、シャッターカーテン１で開口部を閉じているときに室内への採光や導風ができ、かつ、シャッターカーテン１で開口部の一部を閉じているときにも開閉スラット１１または一般スラット１２によって室内への光の入射を遮ることができる。本発明のシャッター装置に上述したロック手段８を設けない場合にも、この効果は発揮される。
【００６０】
さらに、本発明のシャッター装置は、種々の建物に取り付けることができる。また、本発明のシャッター装置は建物のみならず、船舶や航空機などの種々の構造物に取り付けることもできる。
【００６１】
（実施例２）
実施例２のシャッター装置は、ロック手段およびリンク部材の形状以外は実施例１と同じものである。実施例２のシャッター装置におけるロック手段の動作を模式的に表す説明図を図１２〜１４に示す。詳しくは、実施例２のシャッター装置におけるロック手段およびスラットを上方から見た様子を模式的に表す説明図を図１２に示す。実施例２のシャッター装置におけるロック手段およびリンク部材を左方から見た様子を模式的に表す説明図を図１３に示す。実施例２のシャッター装置におけるロック手段、スラットおよびリンク部材を室内側から見た様子を模式的に表す説明図を図１４に示す。以下、本実施例２において、上、下、左、右、室内側、室外側とは、図１２〜１４に示す上、下、左、右、室内側、室外側を指す。
【００６２】
実施例２のシャッター装置におけるロック手段８は、基体８０とロック駆動手段８１とロック体８２と付勢手段８３とを備える。基体８０は屈曲した略板状をなし、図１２および１３に示すように、左側の側ガイドレール３０に固定されている。ロック駆動手段８１は、基体８０に固定されている。ロック駆動手段８１はソレノイドからなり、図１４に示すように、上下動するプランジャ８６を備える。ロック駆動手段８１はコントローラに接続され、プランジャ８６はコントローラから伝送された信号に基づいて上下動する。プランジャ８６の先端部には、室内側に突起する入力ピン８６０が形成されている。ロック体８２は略Ｌ字の板状をなし、略中央部に設けられている枢支部８２０が基体８０に枢支されている。ロック体８２の一端部である入力部８２１は左方に延び、プランジャ８６の入力ピン８６０を枢支する入力孔８２５を持つ。ロック体８２の他端部である干渉部８２２は、入力部８２１よりも長尺であり、略下方に延びている。干渉部８２２には、やや端部寄りの位置に、基体８０に向けて突起する位置決めピン８２６が形成されている。基体８０には、左右に延びる長孔８００が形成され、位置決めピン８２６は、長孔８００内に挿入されている。位置決めピン８２６は、長孔８００内を移動可能である。最上部に配されている一般スラット１２ｘを枢支する左側リンク体２０には、左方に延びるロック係止部２５が形成されている。ロック体８２は、ロック位置と解除位置との間で回動する。ロック位置は、図１４に示すように、ロック係止部２５が左側リンク体２０の上下動に伴って上下動する領域（以下、ロック係止部２５の移動領域と呼ぶ）内に干渉部８２２が突出する位置である。解除位置は、干渉部８２２がロック係止部２５の移動領域外に没入する位置である。ロック体８２がロック位置に配されると、位置決めピン８２６が長孔８００の右側壁面と係止して、ロック体８２の回動が停止する。ロック体８２が解除位置に配されると、位置決めピン８２６が長孔８００の左側壁面と係止して、ロック体８２の回動が停止する。
【００６３】
付勢手段８３はコイルバネからなり、ロック体８２の枢支部８２０に取り付けられている。付勢手段８３は、ロック体８２の回動をロック位置に付勢して（ロック体８２を図１４中反時計回りに回動させて）、ロック体８２の干渉部８２２をロック係止部２５の移動領域内に突出させる。
【００６４】
一般スラット１２ｘが上動すると、ロック係止部２５が干渉部８２２と係止する。このときロック体８２は、位置決めピン８２６が長孔８００の右側壁面と係止しているため、それ以上上方に回動しない（図１４中反時計回りに回動しない）。したがって、一般スラット１２ｘの上動はロック手段８によって干渉される。よって、開閉スラットの嵌合が外れ開閉スラットが回動したときにも、隣接する一般スラット１２同士の嵌合は維持され、一般スラット１２のばたつきがなくなる。
【００６５】
シャッターカーテンをカーテン開位置に配する際には、コントローラから伝送された信号を受けて、ロック駆動手段８１が起動しプランジャ８６が上動する。プランジャ８６が上動すると、プランジャ８６の入力ピン８６０が上動し、入力ピン８６０を枢支する入力孔８２５が上方に引き上げられる。すると、ロック体８２が枢支部８２０を中心に図１４中時計回りに回動して、解除位置に配される。よって、干渉部８２２はロック係止部２５の移動領域外に没入するため、一般スラット１２ｘは上動可能になり、シャッターカーテンがカーテン開位置に移動する。
【００６６】
シャッターカーテンがカーテン開位置に配されると、コントローラから伝送された信号を受けて、ロック駆動手段８１が停止してプランジャ８６が上下に移動可能な状態になる。この状態でシャッターカーテンをカーテン閉位置に配する場合には、一般スラット１２ｘの下動に伴って下動したロック係止部２５が干渉部８２２を下方に押圧する。上述したように、このときプランジャ８６は上下に移動可能であるため、ロック体８２は図１４中時計回りに回動して解除位置に配される。よって、一般スラット１２ｘは下動可能になり、シャッターカーテンはカーテン閉位置に移動する。
【００６７】
実施例２のシャッター装置では、回動手段と別体であり回動手段と別々に動作するロック手段８を用いたが、この場合にも、開閉スラットが回動したときの一般スラットの嵌合を維持することができる。よって、一般スラットのばたつきを軽減しつつ開閉スラットを回動させ得る。
【図面の簡単な説明】
【００６８】
【図１】実施例１のシャッター装置を室外側から見た様子を模式的に表す正面図である。
【図２】実施例１のシャッター装置におけるシャッターカーテンおよびリンク部材を模式的に表す要部拡大斜視図である。
【図３】実施例１のシャッター装置におけるシャッターカーテンおよびリンク部材を模式的に表す要部拡大斜視図である。
【図４】実施例１のシャッター装置におけるシャッターカーテンおよびリンク部材を模式的に表す要部拡大斜視図である。
【図５】実施例１のシャッター装置における開閉手段および回動手段の動作を模式的に表す説明図である。
【図６】実施例１のシャッター装置における開閉手段および回動手段の動作を模式的に表す説明図である。
【図７】実施例１のシャッター装置における開閉手段および回動手段の動作を模式的に表す説明図である。
【図８】実施例１のシャッター装置における開閉手段および回動手段の動作を模式的に表す説明図である。
【図９】実施例１のシャッター装置における開閉手段および回動手段の動作を模式的に表す説明図である。
【図１０】実施例１のシャッター装置における開閉手段および回動手段の動作を模式的に表す説明図である。
【図１１】実施例１のシャッター装置における開閉手段および回動手段の動作を模式的に表す説明図である。
【図１２】実施例２のシャッター装置におけるロック手段の動作を模式的に表す説明図である。
【図１３】実施例２のシャッター装置におけるロック手段の動作を模式的に表す説明図である。
【図１４】実施例２のシャッター装置におけるロック手段の動作を模式的に表す説明図である。
【符号の説明】
【００６９】
１：シャッターカーテン、２：リンク部材（左側リンク部材）、３：ガイド枠、４：回動手段、５：駆動手段、７：開閉手段、８：ロック手段、１０：スラット、１１：開閉スラット、１２：一般スラット、４０：ガイド部、４１：ラック、４２：駆動側係止部、４５：収容ガイド部、４６：回動ガイド部、５１：ガイドピン、５２：第２の電動モータ、５３：ピニオン部、６３：スラット側係止部
【図１】
2007138519.tif 000003
【図２】
2007138519.tif 000004
【図３】
2007138519.tif 000005
【図４】
2007138519.tif 000006
【図５】
2007138519.tif 000007
【図６】
2007138519.tif 000008
【図７】
2007138519.tif 000009
【図８】
2007138519.tif 000010
【図９】
2007138519.tif 000011
【図１０】
2007138519.tif 000012
【図１１】
2007138519.tif 000013
【図１２】
2007138519.tif 000014
【図１３】
2007138519.tif 000015
【図１４】
2007138519.tif 000016